(57)【要約】【課題】入浴時に自動でドア等のロックを行いセキュリティを高める。【解決手段】給湯装置１と、前記給湯装置１の燃焼を検知する燃焼検出手段４１と、本体コントローラ５を備え、本体コントローラ５は燃焼検出手段４１の燃焼検出信号を取り込んで自動的に住宅４７のロック装置付玄関ドア４４のロック手段４４ａをロックさせる信号を発するもので、これまでのようにわざわざ玄関のドア等にロックをするために、わざわざ行く必要がないうえ、ロックを忘れるという心配もなくなる。【選択図】図１
2007163058.tif 000002
【特許請求の範囲】
【請求項１】
給湯水を加熱する加熱器を有する給湯器にあって、前記給湯器が使用されたことを検知する給湯器使用検出手段と、前記給湯器使用検出手段の給湯器使用の信号に基づき、建造物の開閉部のロック手段を作動させるロック信号を発する制御手段を備えた給湯装置。
【請求項２】
制御手段は、給湯器使用検出手段が給湯器の使用時からの使用停止を検知してからの時間が所定時間Ｔ１を経過したとき、建造物の開閉部のロック手段を解除させるロック解除信号を発するようにした請求項１記載の給湯装置。
【請求項３】
ロック中のロック手段を解除するロック解除手段を備えた請求項１または請求項２記載の給湯装置。
【請求項４】
表示部を有する遠隔制御器を備え、前記表示部にロック手段の作動状況を表示させてなる請求項１〜３のいずれか１項に記載の給湯装置。
【請求項５】
ロック手段の使用または不使用を選択する選択手段を備えた請求項１〜４のいずれか１項に記載の給湯装置。
【請求項６】
建造物の開閉部のロック手段を備えた請求項１〜５のいずれか１項に記載の給湯装置。
【請求項７】
ロック手段は複数個を有する請求項６に記載の給湯装置。
【請求項８】
請求項１〜６のいずれか１項に記載の給湯装置で使用するロック装置。
【発明の詳細な説明】
【技術分野】
【０００１】
本発明は、給湯器が使用されると給湯器が設置されている建造物の開閉部をロックすることが可能な給湯装置に関するものである。 
【背景技術】
【０００２】
従来、この種の給湯装置においては、給湯器を屋外に設置し、この給湯器を屋内の台所、風呂場等の遠隔位置に設けた台所リモコン、風呂リモコンから遠隔制御する給湯装置が知られている。一方、屋内外において来客等とのコミュニケーションを図るため、屋内である台所にテレビドアホンの親機を設けると共に玄関等の屋外には、いわゆるテレビドアホンの子機を設けることも知られている（例えば、特許文献１参照）。
【特許文献１】特開２０００−３３７７０６号公報
【発明の開示】
【発明が解決しようとする課題】
【０００３】
しかしながら、上記のような構成では、給湯器から風呂に給湯して入浴中、玄関等のドアのロックを忘れた状態で来客があった場合には、テレビドアホンを使用することなく、ドアを開けて玄関に入られる恐れがあり、または室内にこっそりと侵入されることも考えられ、好ましくない状態が起こることも考えられる。従って、給湯器を使用して通常は入浴、その他シャワー等を浴びる際には、建造物の開閉部である住宅の玄関等のドアを予めロックするものである。また、前記したロックを忘れる事態が起こり得ることも考慮に入れておかなければならない。
【０００４】
前記従来の課題に鑑み、本発明が解決しようとする課題は、給湯器を使用した時に他人が不意に住居等に入られないようにする給湯装置を提供することにある。
【課題を解決するための手段】
【０００５】
上記課題を解決するために、本発明は給湯器使用検出手段が給湯器の使用されたことを検出した時、制御手段より建造物の開閉部のロック手段を作動させロックする信号を発するようにしたものである。本発明によれば、ロック忘れがなくなり、安心して給湯器を使用できるとともに、意識してのロック作業もなくなり、使い勝手が向上する。
【発明の効果】
【０００６】
本発明の給湯装置は、建造物のロック忘れがなくなり、入浴時等において安心して給湯器を使用できるとともに、使い勝手を向上できる。
【発明を実施するための最良の形態】
【０００７】
第１の発明は、給湯水を加熱する加熱器を有する給湯器にあって、前記給湯器が使用されたことを検知する給湯器使用検出手段と、前記給湯器使用検出手段の給湯使用の信号に基づき、建造物の開閉部のロック手段を作動させるロック信号を発する制御手段を備えた給湯装置に構成することにより、制御手段は給湯器使用検出手段の給湯使用の信号を取り込んで自動的に建造物の開閉部のロック手段を作動させるロック信号を発するから、これまでのようにわざわざ玄関のドア等にロックをするために、わざわざ行く必要がないうえ、ロックを忘れるという心配もなくなる。
【０００８】
第２の発明は、特に第１の発明の制御手段を、給湯器使用検出手段が給湯器の使用時からの使用停止を検知してからの時間が、所定時間Ｔ１を経過したとき、ロック手段を解除させるロック解除信号を発するように構成したことにより、制御手段は給湯器使用検出手
段が給湯器の使用時からの使用停止を検知してからの時間が、所定時間Ｔ１を経過すると、ロック手段のロックを解除する信号を出力するので、例えば所定時間Ｔ１の経過を入浴後の着換え時間に設定すれば、入浴が終わり着替え後に自動的に開閉部のロック手段を解除することが可能になり、入浴後にわざわざ開閉部のロックを解除するために、開閉部の場所に行く必要がないうえ、ロック解除を忘れるという心配もなくなる。
【０００９】
第３の発明は、特に第１の発明または第２の発明において、ロック中のロック手段を解除するロック解除手段を備えたことにより、ロック解除手段を使用するとロック中のロック手段であってもロックを解除することが可能になり、例えば入浴中であってもロックされている開閉部を開けなくてはいけない事態のときには容易に対処でき、使い勝手が良くなる。
【００１０】
第４の発明は、特に第１〜第３のいずれか１つの発明において、表示部を有する遠隔制御器を備え、前記表示部にロック手段の作動状況を表示させる構成とすることにより、遠隔制御器は表示部にロック手段の作動状況を表示できるので、例えば遠隔制御器を浴室に設置することにより、ドアをロックしていることが浴室で確認でき、安心して入浴することができる。
【００１１】
第５の発明は、特に第１〜第４のいずれか１つの発明において、ロック手段の使用または不使用を選択する選択手段を備えたことにより、選択手段によりロック手段を作動させるか、させないかを選択することができ、入浴中に来客があることが分かっている場合などは入浴中でもロックを解除しておくことができる。
【００１２】
第６の発明は、特に第１〜第５のいずれか１つの発明において、建造物の開閉部のロック手段を備えたことにより、給湯装置の設置時にロック手段も設置できて作業が効率的に行える。
【００１３】
第７の発明は、特に第６の発明のロック手段を複数にすることにより、玄関のドアと勝手口、窓というように色々なドア、窓等が自動的にロックおよび解除ができて便利で使い勝手がよい。
【００１４】
第８の発明は、特に第１〜第７のいずれか１つの発明の給湯装置で使用するロック装置にすることにより、先に給湯装置を設置して使用した後においても、必要に応じてロック装置をシステムとして組み込むことができ便利である。
【００１５】
以下、本発明の実施の形態について、図１〜図７を参照しながら説明する。なお、本実施の形態によって本発明が限定されるものではない。また、本実施の形態の説明において、同一構成で同一作用効果を奏するところには同一符号を付して重複した説明を行わないものとする。
【００１６】
（実施の形態１）
図１において、１は給湯装置で、その内部には加熱器としての熱交換器２、ガスバーナ３、送風ファン４を有し、また給湯装置１の制御手段としての本体コントローラ５を備えている。６は給湯装置１を遠隔操作すると共に給湯温度・時刻等の操作情報を画面に表示する表示部７を有する遠隔制御器としてのリモコンで、マイクロコンピュータ及びその周辺回路で構成され、リモコンコントローラ８を内蔵してある。
【００１７】
９は熱交換器２に至る入水管、１０は熱交換器２から後述する給湯カランに至る出湯管である。入水管９および出湯管１０からなり、熱交換器２に接続する通水管１１にはその上流側から水管内の通水量を検出する水量センサ１２および入水温度を検出する入水温度
センサ１３を設けている。出湯管１０には熱交換器２により加熱された湯温を検出する出湯温度センサ１４を設けてある。この出湯温度センサ１４は湯水を混合させた後の湯温を検出するものであってもよい。
【００１８】
１５はガスバーナ３に至るガス管で、このガス管１５にはガス通路を開閉する駆動部材としてのガス電磁弁１６、ガス比例弁１７等を設けてある。１８はイグナイター等の点火電極で、４１は給湯器使用検出手段としての一つである燃焼検出手段で、ガスバーナ３の火炎に加熱されて電気信号を本体コントローラ５に出力することで燃焼中であることを検出する。本体コントローラ５とリモコンコントローラ８とは通信用インターフェース２０を介して有線または無線で接続され、出湯温度センサ１４、水量センサ１２の他、各種センサからの検出信号に基づいて給湯装置１の全体の状態を判定するともに、リモコン６からの制御信号に基づいて給湯装置１の各部（例えばガス電磁弁１６、ガス比例弁１７等）の動作を制御するものである。
【００１９】
また、建造物としての一般の住宅４７には、上記した給湯装置１が設置され、一例として浴室２１に上記したリモコン６を備え、さらに本体コントローラ５とロック手段４２ａを有するロック装置付浴室ドア４２、ロック手段４４ａを有するロック装置付玄関ドア４４、ロック手段４５ａを有するロック装置付窓４５も通信用インターフェース２０を介して有線または無線で接続されている。図中、４８は出湯管１０に通じる浴室２１の出湯カランで、４９は同じくシャワーである。
【００２０】
図２は、本発明の給湯装置で人が入浴した時またはシャワーを使用した時、ロック装置付玄関ドア４４に設けられたロック手段４４ａを制御するフローチャートである。そして、本体コントローラ５は、マイクロコンピュータ及びその周辺回路で構成され、給湯装置１の全体の制御フロー（周知なので図示せず）の以外に、図２に示す制御フローを実行するプログラムを内蔵しているものである。
【００２１】
図２において、ユーザーがシャワー４９を使用するために給湯カラン４８を「開」にすると（ステップ1）、給湯装置１の燃焼が開始する（ステップ２）。燃焼検出手段４１により前記燃焼が検出されると（ステップ３）、自動的にロック装置付玄関ドア４４のロック手段４４ａを作動する（ステップ４）。もちろん、燃焼検出手段４１が燃焼を検出しない時にはロック装置付玄関ドア４４のロック手段４４ａをロックさせない（ステップ５）。
【００２２】
このように制御手段としての本体コントローラ５は、給湯器使用検出手段としての燃焼検出手段４１の給湯使用の信号である燃焼検出信号を取り込んで自動的に住宅４７のロック装置付玄関ドア４４のロック手段４４ａを作動させるロック信号を発してロック手段４４ａを自動的にロックするのである。
【００２３】
従って、これまでのように玄関のドア等にロックをするために、わざわざ行く必要がないうえ、ロックを忘れるという心配もなくなり、給湯器を使用し安心して入浴できるとともに、意識してのロック作業もなくなり、使い勝手が向上する。
【００２４】
なお、上記実施の形態では、給湯器使用検出手段として燃焼検出手段４１を使用したが、給湯の温度を出湯温度センサ１４が検出した温度検出信号を以って給湯器使用を検出してもよく、またガス電磁弁１６の開成した信号を以って給湯器使用を検出してもよく、さらに給湯カラン４８の開成による給湯を以って給湯器使用を検出してもよく、これら燃焼検出手段４１、出湯温度センサ１４、ガス電磁弁１６、給湯カラン４８の少なくとも二つ以上の検出信号を組み合わせて給湯器使用、不使用を検出するようにしてもよい。
【００２５】
また、上記実施の形態では本発明を、ガスを燃料とする給湯装置に適用したが、電気または太陽熱を熱源とする給湯装置にも適用できるものである。
【００２６】
（実施の形態２）
図３は、本発明の実施の形態２を示すロック手段制御のフローチャートである。本実施の形態は、実施の形態１の発明に、ロック装置付玄関ドア４４のロック手段４４ａが自動で解除できるように構成した本体コントローラ５を付加したものであり、それ以外の同一構成で同一作用効果を奏するところには実施の形態１と同一符号を付して詳細な説明を省略し、図１も利用して異なるところを中心に説明する。
【００２７】
本体コントローラ５は、図３に示すロック手段４４ａの制御フローを実行するためのプログラムを内蔵しているものである。すなわち、本体コントローラ５は燃焼検出手段４１が給湯装置１の使用時から使用停止を検知してからの時間、例えば入浴後の着替えの時間である所定時間Ｔ１を経過するとロック装置付玄関ドア４４のロック手段４４ａを解除させる構成にしてある。
【００２８】
実施の形態１の図２に従い動作を説明したと同じように、給湯装置１が燃焼を開始すると、ロック装置付玄関ドア４４のロック手段４４ａがロックされ（ステップ４）、その後、ユーザーが入浴を終えて給湯装置１の燃焼を停止する（ステップ６）。そして、着替え等に必要な時間＋αに設定された入浴時間である所定時間Ｔ１が経過してから（ステップ７）、ロック装置付玄関ドア４４のロック手段４４ａを解除させるものである（ステップ８）。
なお、所定時間Ｔ１としては、入浴終了後から例えば、１０分とか１５分の着替え時間の経過した後、ロック装置付玄関ドア４４のロック手段４４ａを解除させるものである。また、所定時間Ｔ１はリモコン６にて自由にユーザーが設定できるようにしても良い。
【００２９】
このように、本実施の形態では本体コントローラ５が、燃焼検出手段４１が給湯器の使用時から使用停止を検知してからの時間が、所定時間Ｔ１を経過すると、ロック手段４４ａのロックを解除する信号を出力するので、例えば所定時間Ｔ１を、入浴終了後の着替え時間に設定すれば、入浴が終わり着替え後に自動的にロック装置付玄関ドア４４のロック手段４４ａを解除することが可能になる。
【００３０】
従って、入浴が終わり着替え後に来客が来ても十分対応できる準備ができてから、自動でロック装置付玄関ドア４４のロック手段４４ａが解除されるので、これまでのようにわざわざ玄関等にロックを解除するために行く必要がないうえ、ロック解除を忘れるという心配もなくなり、大変に使い勝手がよくなる。
【００３１】
（実施の形態３）
図４は、本発明の実施の形態３を示すロック手段制御のフローチャートである。本実施の形態は、実施の形態２の発明に、ロック装置付玄関ドア４４のロック手段４４ａがロック中であっても、これを使用者が意識的に解除できるように構成した本体コントローラ５を付加したものであり、それ以外の同一構成で同一作用効果を奏するところには実施の形態２と同一符号を付して詳細な説明を省略し、図１も利用して異なるところを中心に説明する。
【００３２】
リモコン６はロック装置付玄関ドア４４のロック手段４４ａがロック中であっても、これを使用者が意識的に解除できるロック解除手段であるロック解除スイッチ４６を設けている。一方、本体コントローラ５は、図４に示すロック手段４４ａの制御フローを実行するためのプログラムを内蔵しているもので、ロック解除スイッチ４６のロック解除信号を取り込むと、ロック装置付玄関ドア４４のロック手段４４ａのロックを解除するものであ
る。
【００３３】
実施の形態１の図２及び実施の形態２の図３で動作を説明したと同じように、ユーザーがシャワー４９を使用するために給湯カラン４８を「開」にすると（ステップ1）、給湯装置１の燃焼が開始する（ステップ２）。そして、燃焼検出手段４１によりガスバーナ３の燃焼が検知され（ステップ３）、自動的にロック装置付玄関ドア４４をロックする（ステップ４）。その後に知人等が来た時にユーザーは入浴中であるがロックを解除して、知人を家の中で待たせたいとき等は、リモコン６のロック解除スイッチ４６で、玄関ドアロックを解除（ステップ９）させる。
【００３４】
このように、本実施の形態ではロック解除スイッチ４６を使用すると、ロック中のロック手段４４ａであってもロックを解除することが可能になり、入浴中であってもロックされているロック装置付玄関ドア４４を開けなくてはいけない事態のときには容易に対処でき、使い勝手がよくなる。
【００３５】
（実施の形態４）
図５は、本発明の実施の形態４を示すロック手段制御のフローチャートである。本実施の形態は、実施の形態３の発明において、ロック装置付玄関ドア４４のロック手段４４ａの作動状況を示すリモコン６を備えたものであり、それ以外の同一構成で同一作用効果を奏するところには実施の形態３と同一符号を付して詳細な説明を省略し、図１も利用して異なるところを中心に説明する。
【００３６】
リモコン６は、人が浴室２１に入ったことを検出した時、ロック装置付玄関ドア４４のロック手段４４ａのロック作動状況を表示する表示部７を設けている。また、本体コントローラ５は、図５に示すロック手段４４ａの制御フローを実行するためのプログラムを内蔵しているもので、リモコン６で人が浴室２１に入ったことを検出した信号を受けてロック装置付玄関ドア４４のロック手段４４ａがロック中であるかどうかをリモコン６の表示部７に表示させるものである。
【００３７】
上記実施の形態１〜３の図２、図３、図４で動作を説明したと同じように給湯装置１は動作をする。そして、人が浴室２１に入っていると、ロック装置付玄関ドア４４のロック手段４４ａがロック中には、リモコン６の表示部７（ステップ１０）に「ロック中」と表示させる。また、ロック手段４４ａがロック解除中にはリモコン６の表示部７（ステップ１１）にロック中を表示させない、または「ロック解除」と表示させるものである。
このように、本実施の形態ではロック装置付玄関ドア４４のロックの有無が浴室２１で確認でき、安心して入浴することができる。
【００３８】
なお、本実施の形態では人が浴室２１に入ったことを検出した時、ロック装置付玄関ドア４４のロック手段４４ａのロック作動状況をリモコン６の表示部７に表示させる構成にしたが、人が浴室に入る、入らないに関係なくロック装置付玄関ドア４４のロック手段４４ａのロック動作、不作動の信号を本体コントローラ５が取り込んでリモコン６の表示部７に作動状況を表示させるようにしてもよく、この形態ではロック手段４４ａはインターフェース２０を介して本体コントローラ５と有線または無線で接続されるように送受信機能を備える。
【００３９】
（実施の形態５）
図６は、本発明の実施の形態５を示すロック手段制御のフローチャートである。本実施の形態は、実施の形態４の発明において、ロック装置付玄関ドア４４のロック手段４４ａを、使用するか、使用しないかを、給湯装置１の使用前に選択できる選択スイッチをリモコンに設けたものであり、それ以外の同一構成で同一作用効果を奏するところには実施の
形態４と同一符号を付して詳細な説明を省略し、図１も利用して異なるところを中心に説明する。
【００４０】
リモコン６は、使用者が給湯装置１の使用前に、ロック装置付玄関ドア４４のロック手段４４ａを、使用するか、使用しないかを、選択できる選択手段である選択スイッチ４３を設けている。また、本体コントローラ５は、図６に示すロック手段４４ａの制御フローを実行するためのプログラムを内蔵しているもので、リモコン６の選択スイッチ４３で使用者がロック装置付玄関ドア４４のロック手段４４ａを使用することを選択された信号を取り込んで図６に示す制御フローを実行できる状態にし、選択されないときには図６に示す制御フローを実行できないようにして、通常の給湯装置の給湯制御（周知の技術）ができるようにするものである。
【００４１】
上記実施の形態１〜４の図２、図３、図４、図５で動作を説明したと同じように給湯装置１は動作をする。そして、給湯装置１を使用する前に、予めリモコン６の選択スイッチ４３でロック装置付玄関ドア４４を、燃焼検出手段４１により燃焼したことを検出した時にロックする設定にしておくと、燃焼検出手段４１により燃焼が検出された時に（ステップ３）、ロック装置付玄関ドア４４をロックする（ステップ４）。
一方、リモコン６の選択スイッチ４３でロック装置付玄関ドア４４を、燃焼検出手段４１により燃焼を検出した時にロックしない設定にしておけば、燃焼検出手段４１により燃焼を検出してもロック装置付玄関ドア４４のロック手段４４ａをロックさせない（ステップ５）。
【００４２】
このように本実施の形態では、選択スイッチ４３によりロック装置付玄関ドア４４のロック手段４４ａを作動させるか、させないかを選択することができ、事前に入浴中に来客があることが分かっている場合等は入浴中でもロックを解除しておくことができる。また、複数人が同じ家に住んでいる場合等は、一人が入浴中でも別の人が来客に対応できるので、いちいち入浴と対応して玄関等のロックが行われると煩わしいために、選択スイッチ４３があると便利である。
【００４３】
（実施の形態６）
図７は、本発明の実施の形態６を示すロック手段制御のフローチャート（実施の形態１〜５の図２〜図６に示す制御フローと同一部分を、一部省略している）である。本実施の形態は、実施の形態１〜５の発明において、ロック装置付玄関ドア４４のロック手段４４ａだけでなく、このロック手段４４ａと同じように燃焼検出手段４１の燃焼検出によりロックされるロック手段を、住宅４７のロック装置付浴室ドア４２、ロック装置付窓４５にも設けたものであり、それ以外の同一構成で同一作用効果を奏するところには実施の形態１〜５と同一符号を付して詳細な説明を省略し、図１も利用して異なるところを中心に説明する。
【００４４】
住宅４７は、ロック装置付玄関ドア４４だけでなく、燃焼検出手段４１の燃焼検出によりロックされるロック手段４２ａを有するロック装置付浴室ドア４２、同じくロック手段４５ａを有するロック装置付窓４５を設けている。また、本体コントローラ５は、図７に示すロック手段制御フローを実行するためのプログラムを内蔵しているもので、燃焼検出手段４１の燃焼検出の信号を取り込んでロック装置付玄関ドア４４、ロック装置付浴室ドア４２、ロック装置付窓４５のそれぞれのロック手段４４ａ、４２ａ、４５ａをロックし、燃焼検出手段４１が燃焼検出をしない時には、前記したそれぞれのドア、窓のロックを行わないように構成しているものである。
【００４５】
上記実施の形態１〜５の図２、図３、図４、図５、図６で動作を説明したと同じように給湯装置１は動作をする。そして、ユーザーがシャワー４９を使用するために給湯カラン
４８を「開」にすると（ステップ1）、給湯装置１が燃焼を開始する（ステップ２）。そして、燃焼検出手段４１により燃焼が検出されると（ステップ３）、自動的にロック装置付玄関ドア４４（ステップ４）と、ロック装置付浴室ドア４２（ステップ１３）やロック装置付窓４５（ステップ１５）のロックを作動させる。また、その他勝手口等のドアにもロック手段を設けて連動させてもよいし、ロック装置付浴室ドア４２は対応させなくてもいいなど、組み合わせは自由である。
【００４６】
このように本実施の形態では、住宅４７にある玄関のドアと勝手口、窓というように色々のドア、窓が自動的にロックおよび解除ができて便利で使い勝手がよい。また、給湯装置１で使用するロック手段４２ａ、４４ａ、４５ａを給湯装置１に備えているので、先に給湯装置１のみを住宅４７に設置して使用している経過の中で、必要を感じた時点で玄関のドア、勝手口、窓等にロック手段を取り付けてシステム化したい場合にも容易に対応でき、大変に便利である。
【産業上の利用可能性】
【００４７】
以上のように本発明にかかる給湯装置は、給湯装置の使用に際して給湯装置を使用している使用者の居る住宅のロック忘れがなくなり、安心して給湯装置を使用できるとともに、使い勝手を向上できるものであり、住宅のセキュリテイ装置にも適用できる。
【図面の簡単な説明】
【００４８】
【図１】本発明の実施の形態１〜６における給湯装置の構成図
【図２】本発明の実施の形態１における給湯装置のロック手段の制御フローチャート
【図３】本発明の実施の形態２における給湯装置のロック手段の制御フローチャート
【図４】本発明の実施の形態３における給湯装置のロック手段の制御フローチャート
【図５】本発明の実施の形態４における給湯装置のロック手段の制御フローチャート
【図６】本発明の実施の形態５における給湯装置のロック手段の制御フローチャート
【図７】本発明の実施の形態６における給湯装置のロック手段の制御フローチャート
【符号の説明】
【００４９】
１  給湯装置
５  本体コントローラ（制御手段）
６  リモコン（遠隔制御器）
７  表示部
４１  燃焼検出手段（給湯器使用検出手段）
４２  ロック装置付浴室ドア
４２ａ  ロック手段
４３  選択スイッチ（選択手段）
４４  ロック装置付玄関ドア
４４ａ  ロック手段
４５  ロック装置付窓
４５ａ  ロック手段
４６  ロック解除スイッチ（ロック解除手段）
【図１】
2007163058.tif 000003
【図２】
2007163058.tif 000004
【図３】
2007163058.tif 000005
【図４】
2007163058.tif 000006
【図５】
2007163058.tif 000007
【図６】
2007163058.tif 000008
【図７】
2007163058.tif 000009